(57)【要約】【課題】コンパクトに構成でき、鞄やポケットに収納する場合にも嵩張ることがなく、持ち運びが容易な収納ケースを提供する。【解決手段】収納ケース１０は、弾性及び可撓性を有する素材からなり、血糖計５０および穿刺ペン３０を収容する第１収納部１２と、穿刺針ユニット３６および試験片ユニット４４を収容する第２収納部１４とを備える。第１収納部１２と第２収納部１４とは隔壁２０によって隔てられる。収納ケース１０の一端部と他端部には、それぞれ開閉可能な第１蓋部２２と第２蓋部２４とが設けられる。第１蓋部２２および第２蓋部２４の各々は、外力が作用しない自然状態では閉じるが、幅方向内方に押すと開くように構成されている。【選択図】図１
2012030854.tif 000002
【特許請求の範囲】
【請求項１】
弾性及び可撓性を有する素材からなる収納ケースであって、
開閉可能な第１蓋部を有する第１収納部と、
開閉可能な第２蓋部を有する第２収納部と、を備え、
前記第１収納部と前記第２収納部とは隔壁によって隔てられ、
前記第１蓋部は前記収納ケースの長手方向の一端部に設けられ、
前記第２蓋部は前記収納ケースの長手方向の他端部に設けられ、
前記第１蓋部および前記第２蓋部の各々は、外力が作用しない自然状態では閉じるが、特定の方向から押すと開くように構成されている、
ことを特徴とする収納ケース。
【請求項２】
請求項１記載の収納ケースにおいて、
前記第１収納部と前記第２収納部とは、異なる大きさに構成されている、
ことを特徴とする収納ケース。
【請求項３】
請求項３記載の収納ケースにおいて、
前記収納ケースは、前記第１収納部と前記第２収納部の一方を上側に、他方を下側にした起立姿勢で置くことが可能なように構成されている、
ことを特徴とする収納ケース。
【請求項４】
請求項１記載の収納ケースにおいて、
前記第１収納部は、前記第２収納部よりも長く構成されるとともに、人手により把持および操作される医療用器具を収容可能に構成され、
前記第２収納部は、前記医療用器具に装着されて使用されるアタッチメントを収容可能に構成される、
ことを特徴とする収納ケース。
【請求項５】
請求項４記載の収納ケースにおいて、
前記収納ケースは、前記第１収納部を上側に、前記第２収納部を下側にした起立姿勢で置くことが可能なように構成されている、
ことを特徴とする収納ケース。
【請求項６】
請求項５記載の収納ケースにおいて、
前記第２蓋部が設けられた他端部は、前記第１蓋部が設けられた一端部よりも厚い、
ことを特徴とする収納ケース。
【請求項７】
請求項１〜６のいずれか１項に記載の収納ケースにおいて、
前記第１蓋部と前記第２蓋部の各々は、前記収納ケースの短手方向に延在する一対の蓋片を有し、
前記収納ケースの長手方向の端部を短手方向内方に押すと、前記一対の蓋片が変形することで、前記一対の蓋片の間に被収容物を出し入れ可能な開口部が形成される、
ことを特徴とする収納ケース。
【発明の詳細な説明】
【技術分野】
【０００１】
本発明は、２つの収納部を有し、柔軟な素材からなる収納ケースに関する。
【背景技術】
【０００２】
糖尿病等の患者は、血糖値が適正値となるように日頃から血糖値の管理をすることが求められている。血糖値の管理は、血糖値の計測と、インシュリンの投与により行われる。血糖値の計測は、穿刺具（穿刺ペン）と、この穿刺具に装着する穿刺針と、血糖値計と、この血糖値計に装着する試験片とからなる計測セットを用いる。具体的には、穿刺針を装着した穿刺具により患者の一部を穿刺して血液を微量だけ出し、血糖値計の先端に取り付けた試験片に血液を含浸させて血糖値計により計測を行う（例えば、下記特許文献１を参照）。そして、計測された血糖値に応じて、インシュリン入りの注射器を用いて、適量注射する。
【先行技術文献】
【特許文献】
【０００３】
【特許文献１】特開２００８−２２８８８５号公報
【発明の概要】
【発明が解決しようとする課題】
【０００４】
また、糖尿病患者は、一日に何度も血糖値を計測する必要があるため、上述した計測セットを持ち運ぶ必要があり、また、穿刺針と試験片は使い捨てであるため、複数個（例えば、４〜５個）ずつ携帯しておく必要がある。このように、計測セットは、部品点数が多くなるため、従来では、例えば樹脂材料で形成された硬い収納ケースに収納し、患者自身が持ち運べるようにしている。しかしながら、従来の収納ケースは硬くかつ大きいため、鞄や衣服のポケットに入れるには嵩張る場合がある。
【０００５】
本発明は上記の課題を考慮してなされたものであり、コンパクトな構成であり、鞄やポケットに収納する場合にも嵩張ることがなく、持ち運びが容易な収納ケースを提供することを目的とする。
【課題を解決するための手段】
【０００６】
上記の目的を達成するため、本発明は、弾性及び可撓性を有する素材からなる収納ケースであって、開閉可能な第１蓋部を有する第１収納部と、開閉可能な第２蓋部を有する第２収納部と、を備え、前記第１収納部と前記第２収納部とは隔壁によって隔てられ、前記第１蓋部は前記収納ケースの長手方向の一端部に設けられ、前記第２蓋部は前記収納ケースの長手方向の他端部に設けられ、前記第１蓋部および前記第２蓋部の各々は、外力が作用しない自然状態では閉じるが、特定の方向から押すと開くように構成されている、ことを特徴とする。
【０００７】
上記の構成によれば、収納ケースが柔軟な素材からなるので、コンパクトに構成することができ、鞄やポケットに収納する場合にも嵩張ることがなく、持ち運びが容易である。また、第１蓋部と第２蓋部は、外力を加えない状態では閉じるように構成されているので、線ファスナや点ファスナのような留め具を用いる必要がなく、簡素な構成とすることができる。さらに、第１蓋部と第２蓋部は、押すと開くように構成されていることから、１つの動作で簡単かつ迅速に開閉を行うことができ、これにより被収容物の出し入れをスムーズに行うことができるので、使い勝手が良好である。
【０００８】
上記の収納ケースにおいて、前記第１収納部と前記第２収納部とは、異なる大きさに構成されているとよい。
【０００９】
上記の構成によれば、被収容物の種類や大きさに合わせて、第１収納部と第２収納部に振り分けて収納することができるので、使い勝手を向上できる。
【００１０】
上記の収納ケースにおいて、前記収納ケースは、前記第１収納部と前記第２収納部の一方を上側に、他方を下側にした起立姿勢で置くことが可能なように構成されているとよい。
【００１１】
上記の構成によれば、スペースを大きくとらずに置くことができるので、利便性を向上できる。
【００１２】
上記の収納ケースにおいて、前記第１収納部は、前記第２収納部よりも長く構成されるとともに、人手により把持および操作される医療用器具を収容可能に構成され、前記第２収納部は、前記医療用器具に装着されて使用されるアタッチメントを収容可能に構成されるとよい。
【００１３】
上記の構成によれば、医療用器具とそのアタッチメントを収容するように構成されているため、医療用器具とそのアタッチメントを常時携帯する必要がある患者にとっては、これらをコンパクトに収納し、鞄やポケットに入れて嵩張らずに持ち運ぶことが可能であるため、非常に利便性が高い。特に、一日に何度も使用する医療用器具を収容する場合、第１蓋部と第２蓋部を何度も開け閉めする必要があるが、第１蓋部と第２蓋部は容易に開閉する構造であるため、医療用器具とそのアタッチメントの出し入れに要する労力を最小限に抑えることができる。
【００１４】
上記の収納ケースにおいて、前記収納ケースは、前記第１収納部を上側に、前記第２収納部を下側にした起立姿勢で置くことが可能なように構成されているとよい。
【００１５】
上記の構成によれば、スペースを大きくとらずに置くことができる。
【００１６】
上記の収納ケースにおいて、前記第２蓋部が設けられた他端部は、前記第１蓋部が設けられた一端部よりも厚いとよい。
【００１７】
上記の構成によれば、収納ケースを立てて置いたときの安定性が向上し、転倒を抑制できる。
【００１８】
上記の収納ケースにおいて、前記第１蓋部と前記第２蓋部の各々は、前記収納ケースの短手方向に延在する一対の蓋片を有し、前記収納ケースの長手方向の端部を短手方向内方に押すと、前記一対の蓋片が変形することで、前記一対の蓋片の間に被収容物を出し入れ可能な開口部が形成されるとよい。
【００１９】
上記の構成によれば、外力が作用しない自然状態では閉じ、特定の方向から押すと開く構造の第１蓋部と第２蓋部を簡素な構成で実現できる。
【発明の効果】
【００２０】
本発明に係る収納ケースは、コンパクトに構成することができ、鞄やポケットに収納する場合にも嵩張ることがなく、持ち運びが容易である。
【図面の簡単な説明】
【００２１】
【図１】本発明の一実施形態に係る収納ケースの斜視図である。
【図２】穿刺ペンおよび穿刺針ユニットの平面図である。
【図３】血糖計および試験片ユニットの斜視図である。
【図４】穿刺ペン、血糖計、穿刺針ユニットおよび試験片ユニットを収納した状態の収納ケースの、図１におけるＩＶ−ＩＶ線での断面図である。
【図５】第１蓋部の両側部を押することで第１蓋部が開いた状態を示す斜視図である。
【図６】収納ケースを立てて置いた状態を示す斜視図である。
【発明を実施するための形態】
【００２２】
以下、本発明に係る収納ケースについて好適な実施の形態を挙げ、添付の図面を参照しながら説明する。
【００２３】
図１は、本発明の一実施形態に係る収納ケース１０の斜視図である。収納ケース１０は、弾性および可撓性を有する素材からなるものであって、第１収納部１２と第２収納部１４の２つの収納部を有し、第１収納部１２と第２収納部１４のそれぞれに被収容物を収容できるように構成されている。
【００２４】
このような収納ケース１０は、例えば、図２に示す穿刺ペン３０（穿刺具）および穿刺針ユニット３６と、図３に示す血糖計５０および試験片ユニット４４とを収容するために使用される。そこで、本実施形態に係る収納ケース１０の具体的な構成の説明に先立ち、穿刺ペン３０、穿刺針ユニット３６、血糖計５０および試験片ユニット４４の各構成を説明する。なお、以下で説明する穿刺ペン３０、穿刺針ユニット３６、血糖計５０および試験片ユニット４４は、本実施形態に係る収納ケース１０に収納することができる医療用器具およびアタッチメントの一例であって、収納ケース１０は、他の構成からなる医療用器具およびアタッチメントについても好適に使用可能である。
【００２５】
図２に示すように、穿刺針ユニット３６は、穿刺針３８と、該穿刺針３８の先端を覆うキャップ３９とを有する。穿刺針３８は、内部に針４０と、針４０を保持するハブ４２とを有する。針４０は、前方のキャップ３９と後方のハブ４２によって滅菌状態に保たれている。
【００２６】
穿刺ペン３０はプッシュボタン３２と、ダイヤル３４と、レバー３５とを有しており、全体が略棒形状であり、先端に穿刺針３８を装着可能に構成されている。穿刺ペン３０の先端に穿刺針３８を装着すると内部のばねが圧縮された状態で保持され、プッシュボタン３２を押すことによりばねの圧縮が解除されて、穿刺針３８の針が一瞬突出して皮膚を適度に穿刺する。これにより、血液を微量だけ出すことができる。この際の針の突出量は、ダイヤル３４の操作により調整することができる。使用後の穿刺針３８は穿刺ペン３０から取り外されて、所定の方法によって廃棄される。
【００２７】
図３に示すように、試験片ユニット４４は、試験片４６と、試験片４６を収容する包装体４８とを有する。試験片４６の先端には、細径の毛細管（採血口、血液点着部）４６ａが設けられ、試験片４６の内部には、血糖に反応する試薬が含浸された試験紙が設けられている。包装体４８は、ケース４８ａと、ケース４８ａの開口部を封止するフィルムシール４８ｂとからなる。
【００２８】
血糖値の計測を行うときは、試験片ユニット４４のフィルムシール４８ｂを剥がし、キャップ５４を取り外した血糖計５０の先端部にケース４８ａごと装着し、毛細管４６ａから血液を導入して内部の試験紙に血液が含浸される。キャップ５４は本体５２に対してストラップ５６で接続されている。血糖計５０は、電源スイッチ５２ａを一度押すとオンとなって自動的に計測を開始し、試験片４６の試験紙に含浸された血液の発色の変化を検出し、所定の計算を行って得られた血糖値をモニタ５２ｂに表示する。使用後の試験片４６は、血糖計５０から取り外され、所定の方法によって廃棄される。
【００２９】
次に、図１および図４（図１におけるＶＩ−ＶＩ線での断面図）を参照し、本実施形態に係る収納ケース１０の構成を具体的に説明する。なお、収納ケース１０に関して、幅方向（短手方向）、厚さ方向、長手方向は、それぞれ、図１および図４中のＸ方向、Ｙ方向、Ｚ方向を意味するものとする。
【００３０】
収納ケース１０を構成する素材は、例えば、ラバー、エラストマー等の弾性および可撓性を有するものである。このため、収納ケース１０は、自然状態（外力を加えない状態）では、図１に示す形状を保持するが、人手により押したり曲げたりすることで容易に変形する柔軟性を有する。収納ケース１０を構成する素材は、スポンジ状の板状部材であってもよい。図示例の収納ケース１０は、複数の板状部材を接合（接着等）することで形状を形成しているが、例えば射出成形により一体的に形状を形成してもよい。
【００３１】
図１および図４に示すように、収納ケース１０は、中空構造であって、全体として扁平形状であり、平面視では略長方形状を呈している。図示例の収納ケース１０は、一側面を構成する側壁部１６と、他側面を構成する側壁部１８との間の空間に、隔壁２０によって収納ケース１０の長手方向に分割された（隔てられた）第１収納部１２と第２収納部１４が形成され、長手方向の両端部には被収容物の出し入れを行う際に開閉可能な第１蓋部２２および第２蓋部２４が設けられている。
【００３２】
第１収納部１２と第２収納部１４は、収納ケース１０の長手方向に直列に配置されている。第１収納部１２内は、被収容物の収容空間であり、第２収納部１４内は、他の被収容物の収容空間である。第１収納部１２と第２収納部１４を隔てる隔壁２０は、各室間を被収容物が移動できないように構成されている。
【００３３】
図４に示すように、本実施形態では、第１収納部１２は穿刺ペン３０および血糖計５０を収容可能に構成され、第２収納部１４は穿刺針ユニット３６および試験片ユニット４４を穿刺可能に構成されている。このため、図４に示すように、第１収納部１２の長さＬ１は、第２収納部１４の長さＬ２よりも大きく設定されている。具体的には、第１収納部１２の長さＬ１は、穿刺ペン３０および血糖計５０の全長よりも大きく設定されている。第２収納部１４の長さＬ２は、収納ケース１０の幅Ｗと厚さ、および穿刺針ユニット３６と試験片ユニット４４の収容個数を考慮して設定される。
【００３４】
図示例の収納ケース１０の幅Ｗは、長手方向にわたって一定であるが、例えば、第２蓋部２４側から第１蓋部２２側に向かって徐々に幅が狭くなるように収納ケース１０の幅が設定されてもよい。あるいは、第１蓋部２２側から第２蓋部２４側に向かって徐々に幅が狭くなるように収納ケース１０の幅が設定されてもよい。
【００３５】
なお、隔壁２０は、第１収納部１２と第２収納部１４とを完全に仕切るものに限らず、例えば、部分的に１つまたは複数の孔が形成されたもの、あるいはメッシュ状のものであってもよい。このような孔が設けられた場合、水等の液体により収納ケース１０を洗浄した際の水はけ性を向上させることができる。ただし、このような孔あるいはメッシュの網目は、被収容物が通過できない大きさであることが必要である。
【００３６】
図示例の隔壁２０は、収納ケース１０の幅方向（Ｘ方向）に延在するように設けられているが、穿刺ペン３０、血糖計５０、穿刺針ユニット３６および試験片ユニット４４を収容を阻害しない限り、収納ケース１０の幅方向に対して傾斜する方向に延在するように設けられてもよい。
【００３７】
第１蓋部２２は、収納ケース１０の一端部（図１でＺ１方向側の端部）に設けられ、第２蓋部２４は、収納ケース１０の他端部（図１でＺ２方向側の端部）に設けられている。第１蓋部２２および第２蓋部２４の各々は、外力が作用しない自然状態では閉じるが、特定の方向から押すと開くように構成されている。
【００３８】
図１に示すように、第１蓋部２２は、一対の蓋片２２ａ、２２ｂを有する。一方の蓋片２２ａは、一方の側壁部１６のＺ１方向側の端部の内側に設けられており、他方の蓋片２２ｂは、他方の側壁部１８のＺ１方向側の端部の内側に設けられている。図示例の各蓋片２２ａ、２２ｂは、同一形状であり、収納ケース１０の幅方向（短手方向）に延在し、互いに対向する側の縁部が直線状であり、その反対側の縁部が弓状に湾曲している。
【００３９】
自然状態において、一対の蓋片２２ａ、２２ｂの直線状の縁部は、基本的に互いに接触するのが好ましいが、第１収納部１２内の被収容物が当該隙間を通して外側に出ない程度の僅かな隙間を空けて対向してもよい。また、一対の蓋片２２ａ、２２ｂの直線状の縁部は重なり合ってもよい。
【００４０】
第２蓋部２４は、一対の蓋片２４ａ、２４ｂを有する。一方の蓋片２４ａは、一方の側壁部１６のＺ２方向側の端部の内側に設けられており、他方の蓋片２４ｂは、他方の側壁部１８のＺ２方向側の端部の内側に設けられている。図示例の各蓋片２４ａ、２４ｂは、同一形状であり、収納ケース１０の幅方向に延在し、互いに対向する側の縁部が直線状であり、その反対側の縁部が弓状に湾曲している。
【００４１】
自然状態において、一対の蓋片２４ａ、２４ｂの直線状の縁部は、基本的に互いに接触するのが好ましいが、第２収納部１４内の被収容物が当該隙間を通して外側に出ない程度の僅かな隙間を空けて対向してもよい。また一対の蓋片２４ａ、２４ｂの直線状の縁部は重なり合ってもよい。
【００４２】
図１に示すように、本実施形態に係る収納ケース１０では、第２蓋部２４の蓋片２４ａ、２４ｂの最もＹ方向に広い部分の幅（Ｙ方向の寸法）は、第１蓋部２２の蓋片２２ａ、２２ｂのそれよりも大きい。このため、収納ケース１０において、第２蓋部２４が設けられた端部の厚さＴ２は、第１蓋部２２が設けられた側の端部の厚さＴ１よりも大きい。
【００４３】
本実施形態に係る収納ケース１０は、基本的には以上のように構成されるものであり、以下、その作用及び効果について説明する。
【００４４】
上述した穿刺ペン３０および血糖計５０を収納ケース１０に収納するには、まず、収納ケース１０の第１蓋部２２を開ける。すなわち、図５に示すように、収納ケース１０の第１蓋部２２側の端部の箇所で、収納ケース１０を幅方向内方に押すと、一対の蓋片２２ａ、２２ｂが湾曲変形することで、一対の蓋片２２ａ、２２ｂの間に被収容物（この場合、穿刺ペン３０および血糖計５０）を出し入れ可能な開口部２８が形成される。そして、この開口部２８を通して、第１収納部１２に穿刺ペン３０および血糖計５０を入れる。
【００４５】
このように第１収納部１２に穿刺ペン３０および血糖計５０を入れ、収納ケース１０を幅方向内方に押すことを止めると（収納ケース１０の第１蓋部２２側の端部から手を離すと）、第１蓋部２２は、弾性作用によって元の形状（図１に示した自然状態の形状）に復元する。これにより、第１収納部１２への穿刺ペン３０および血糖計５０の収納が完了する。
【００４６】
一方、穿刺針ユニット３６および試験片ユニット４４を収納ケース１０に収納するには、まず、図５に示す第１蓋部２２を開ける作業と同様の要領で、第２蓋部２４を開ける。すなわち、収納ケース１０の第２蓋部２４側の端部の箇所で、収納ケース１０を幅方向内方に押すと、一対の蓋片２４ａ、２４ｂが湾曲変形することで、一対の蓋片２４ａ、２４ｂの間に穿刺針ユニット３６および試験片ユニット４４を出し入れ可能な開口部（図示せず）が形成される。そして、この開口部を介して、第２収納部１４に穿刺針ユニット３６および試験片ユニット４４を入れる。
【００４７】
このように第２収納部１４に穿刺針ユニット３６および試験片ユニット４４を入れ、収納ケース１０を幅方向内方に押すことを止めると（収納ケース１０の第２蓋部２４側の端部から手を離すと）、第２蓋部２４は、弾性作用によって元の形状（図１に示した自然状態の形状）に復元する。これにより、第２収納部１４への穿刺針ユニット３６および試験片ユニット４４の収納が完了する。
【００４８】
以上のように、本発明に係る収納ケース１０は、柔軟な素材からなるとともにコンパクトに構成することができ、鞄やポケットに収納する場合にも嵩張ることがなく、持ち運びが容易である。また、第１蓋部２２と第２蓋部２４は、外力を加えない状態では閉じるように構成されているので、線ファスナや点ファスナのような留め具を用いる必要がなく、簡素な構成とすることができる。さらに、第１蓋部２２と第２蓋部２４は、押すと開くように構成されていることから、１つの動作で簡単かつ迅速に開閉を行うことができ、これにより被収容物の出し入れをスムーズに行うことができるので、使い勝手が良好である。
【００４９】
本実施形態に係る収納ケース１０は、医療用器具（穿刺ペン３０および血糖計５０）とそのアタッチメント（穿刺針ユニット３６および試験片ユニット４４）を収容するように構成されているため、医療用器具とそのアタッチメントを常時携帯する必要がある患者にとっては、これらをコンパクトに収納して持ち運べることが可能であるため、非常に利便性が高い。特に、一日に何度も使用する医療用器具を収容する場合、第１蓋部２２と第２蓋部２４を何度も開け閉めする必要があるが、第１蓋部２２と第２蓋部２４は容易に開閉する構造であるため、医療用器具とそのアタッチメントの出し入れに要する労力を最小限に抑えることができる。
【００５０】
第１収納部１２と第２収納部１４は大きさが異なるため、被収容物の種類や大きさに合わせて、第１収納部１２と第２収納部１４に振り分けて収納することができるので、使い勝手が良好である。特に、本実施形態の場合、第１収納部１２は穿刺ペン３０および血糖計５０を収納するように大きく構成され、第２収納部１４は穿刺針ユニット３６および試験片ユニット４４を収納するように小さく構成されているので、収納する際の振り分けが簡単である。
【００５１】
本実施形態に係る収納ケース１０は、図６に示すように、第１収納部１２を上側に、第２収納部１４を下側にして、立てて（起立姿勢にして）置くことが可能である。したがって、スペースを大きくとらずに収納ケース１０を置くことができる。また、本実施形態では、第２蓋部２４が設けられた側の端部の厚さＴ２は、第１蓋部２２が設けられた側の端部の厚さＴ１よりも大きいので（図１参照）、収納ケース１０を立てて置いたときの安定性が向上し、転倒を抑制できる。
【００５２】
なお、第２収納部１４を上側に、第１収納部１２を下側にして、立てて置けるように構成してもよい。
【００５３】
本実施形態に係る収納ケース１０では、収納ケース１０の長手方向の一端部を幅方向（Ｘ方向）内方に押すと、第１蓋部２２を構成する一対の蓋片２２ａ、２２ｂが変形することで、一対の蓋片２２ａ、２２ｂの間に被収容物である穿刺ペン３０および血糖計５０を出し入れ可能な開口部２８が形成される。また、収納ケース１０の長手方向の他端部を幅方向内方に押すと、第２蓋部２４を構成する一対の蓋片２４ａ、２４ｂが変形することで、一対の蓋片２４ａ、２４ｂの間に被収容物である穿刺針ユニット３６および試験片ユニット４４を出し入れ可能な開口部が形成される。このように、外力が作用しない自然状態では閉じ、特定の方向から押すと開く構造の第１蓋部２２と第２蓋部２４を簡素な構成で実現できる。
【００５４】
なお、上記では、第１収納部１２に医療用器具を収納し、第２収納部１４にアタッチメントを収納する場合を説明したが、本発明の収納ケース１０はこのような用途に限らず、他の物品を収納するために使用されてもよい。
【００５５】
上記において、本発明について好適な実施の形態を挙げて説明したが、本発明は前記実施の形態に限定されるものではなく、本発明の要旨を逸脱しない範囲において、種々の改変が可能なことは言うまでもない。
【符号の説明】
【００５６】
１０…収納ケース                      １２…第１収納部
１４…第２収納部                      ２０…隔壁
２２…第１蓋部                        ２２ａ、２２ｂ、２４ａ、２４ｂ…蓋片
２４…第２蓋部
【図１】
2012030854.tif 000003
【図２】
2012030854.tif 000004
【図３】
2012030854.tif 000005
【図４】
2012030854.tif 000006
【図５】
2012030854.tif 000007
【図６】
2012030854.tif 000008